(57)【特許請求の範囲】
【請求項１】
第１洗濯槽および第２洗濯槽を少なくとも含む、複数槽洗濯機の水を繰り返し利用する制御方法であって、第１洗濯槽および第２洗濯槽が同時に動作状態にあるとき、水を繰り返し利用する制御方法は次の通りであり、すなわち第１洗濯槽が排水プログラムに達したとき、第２洗濯槽が取水プログラムに達する時間Ｔ１２と、第１洗濯槽が次回の排水プログラムに達する時間Ｔ１１とを比較し、Ｔ１２＜Ｔ１１の場合、第１洗濯槽は第２洗濯槽の取水を待ち、Ｔ１２≧Ｔ１１の場合、第１洗濯槽の水は直接排出することを特徴とする方法。
【請求項２】
許容待ち時間Ｔ１（Ｔ１＜Ｔ１１）を設定し、第２洗濯槽が取水プログラムに達する時間Ｔ１２と、設定した許容待ち時間Ｔ１とを比較し、Ｔ１２＜Ｔ１の場合、第１洗濯槽は第２洗濯槽の取水を待ち、Ｔ１２≧Ｔ１の場合、第１洗濯槽の水は直接排出し、好ましくは、第１洗濯槽の最大待ち時間は３０分間であることを特徴とする、請求項１に記載の複数槽洗濯機の水を繰り返し利用する制御方法。
【請求項３】
第２洗濯槽が取水プログラムに達する時間Ｔ１２と、第１洗濯槽が次回の排水プログラムに達する時間Ｔ１１とを比較する前に、第１洗濯槽の水を繰り返し利用することができるかどうかを判断し、繰り返し利用することができない場合、第１洗濯槽の水は直接排出し、繰り返し利用することができる場合、第２洗濯槽が取水プログラムに達する時間Ｔ１２と、第１洗濯槽が次回の排水プログラムに達する時間Ｔ１１とを比較する；
または第１洗濯槽が第２洗濯槽の取水を待つとき、第１洗濯槽の水を繰り返し利用することができるかどうかを判断し、繰り返し利用することができない場合、第１洗濯槽の水は直接排出し、繰り返し利用することができる場合、第１洗濯槽の水を第２洗濯槽に排出して、水を繰り返し利用することを特徴とする、請求項１または２に記載の複数槽洗濯機の水を繰り返し利用する制御方法。
【請求項４】
第１洗濯槽が排水プログラムに達したとき、第２洗濯槽が取水している場合、第２洗濯槽が取水プログラムに達する時間Ｔ１２は０であり、待つ必要はないことを特徴とする、請求項１〜３のいずれか１項に記載の複数槽洗濯機の水を繰り返し利用する制御方法。
【請求項５】
第１洗濯槽が排水プログラムに達すると、第２洗濯槽が実行している、または実行しようとしているのが、最後のすすぎの取水であるかどうかを判断し、そうである場合、第１洗濯槽の水は直接排出し、そうでない場合、第１洗濯槽の水を繰り返し利用するかどうかを引き続き判断することを特徴とする、請求項１〜４のいずれか１項に記載の複数槽洗濯機の水を繰り返し利用する制御方法。
【請求項６】
第１洗濯槽の水を第２洗濯槽に排出する前に、第２洗濯槽が洗濯の取水プログラムを実行しているかどうかを判断し、洗濯の取水プログラムを実行している場合、第２洗濯槽は先に洗剤ケースを洗い流す取水を行い、第２洗濯槽の洗剤ケースを洗い流す取水が終了した後、第１洗濯槽の水を第２洗濯槽に排出し、そうでない場合、直接第１洗濯槽の水を第２洗濯槽に排出することを特徴とする、請求項１〜５のいずれか１項に記載の複数槽洗濯機の水を繰り返し利用する制御方法。
【請求項７】
工程２において、第１洗濯槽の水を第２洗濯槽に排出するとき、第２洗濯槽内の水位の高さを測定し、第２洗濯槽内の水位が設定水位値に達したとき、第１洗濯槽内にまだ水がある場合、第１洗濯槽の残りの水は直接排出し；第１洗濯槽内の水を全て第２洗濯槽内に排出しても、第２洗濯槽内の水位が設定水位値に達しない場合、第２洗濯槽はきれいな水を取水することを特徴とする、請求項１〜６のいずれか１項に記載の複数槽洗濯機の水を繰り返し利用する制御方法。
【請求項８】
第１洗濯槽の水を直接排出するとき、第２洗濯槽がこのとき脱水プログラムを実行しているかどうかを判断し、脱水プログラムを実行している場合、第１洗濯槽は第２洗濯槽の脱水の完了を待って排水し、そうでない場合、第２洗濯槽の脱水までの時間をＴ３２、第２洗濯槽の脱水の所要時間をＴ３３とし、許容待ち時間Ｔ３を設定し、Ｔ３２＋Ｔ３３＜Ｔ３の場合、第１洗濯槽は第２洗濯槽の脱水の完了を待って排水し、そうでなければ第１洗濯槽の水は直接排出することを特徴とする、請求項１〜７のいずれか１項に記載の複数槽洗濯機の水を繰り返し利用する制御方法。
【請求項９】
第１洗濯槽の排水時、洗濯状態であり、第２洗濯槽の取水時、すすぎ状態であるか、または第１洗濯槽の排水時および第２洗濯槽の取水時、いずれも洗濯状態であり、第１洗濯槽の洗濯回数が第２洗濯槽の洗濯回数より少ないか、または第１洗濯槽の排水時および第２洗濯槽の取水時、いずれもすすぎ状態であり、第１洗濯槽のすすぎ回数が第２洗濯槽のすすぎ回数より少ない場合、第１洗濯槽の水は繰り返し利用することができないことを特徴とする、請求項１〜８のいずれか１項に記載の複数槽洗濯機の水を繰り返し利用する制御方法。
【請求項１０】
第２洗濯槽が排水プログラムに達したとき、第１洗濯槽が取水プログラムに達する時間と、第２洗濯槽が次回の排水プログラムに達する時間とを比較し、第１洗濯槽が取水プログラムを実行するまで、第２洗濯槽が待つかどうかを判断することを特徴とする、請求項１〜９のいずれか１項に記載の複数槽洗濯機の水を繰り返し利用する制御方法。
【請求項１１】
第１洗濯槽および第２洗濯槽を少なくとも含む、複数槽洗濯機の水を繰り返し利用する制御方法であって、第１洗濯槽および第２洗濯槽が同時に動作状態にあるとき、水を繰り返し利用する制御方法は次の通りであり、すなわち第１洗濯槽が取水プログラムに達したとき、第２洗濯槽が排水プログラムに達する時間Ｔ２２と、第１洗濯槽が次回の取水プログラムに達する時間Ｔ２１とを比較し、Ｔ２２≧Ｔ２１の場合、第１洗濯槽はきれいな水を直接取水し、Ｔ２２＜Ｔ２１の場合、第１洗濯槽は第２洗濯槽の排水を待つことを特徴とする方法。
【請求項１２】
許容待ち時間Ｔ２（Ｔ２＜Ｔ２１）を設定し、第２洗濯槽が排水プログラムに達する時間Ｔ２２と、設定した許容待ち時間Ｔ２とを比較し、Ｔ２２＜Ｔ２の場合、第１洗濯槽は第２洗濯槽の排水を待ち、Ｔ２２≧Ｔ２の場合、第１洗濯槽はきれいな水を直接取水し、好ましくは第１洗濯槽の最大待ち時間は３０分間であることを特徴とする、請求項１１に記載の複数槽洗濯機の水を繰り返し利用する制御方法。
【請求項１３】
第２洗濯槽が排水プログラムに達する時間Ｔ２２と、第１洗濯槽が次回の取水プログラムに達する時間Ｔ２１とを比較する前に、第２洗濯槽の水を繰り返し利用することができるかどうかを判断し、繰り返し利用することができない場合、第１洗濯槽はきれいな水を直接取水し、繰り返し利用することができる場合、第２洗濯槽が排水プログラムに達する時間Ｔ２２と、第１洗濯槽が次回の取水プログラムに達する時間Ｔ２１とを比較する；
または、第１洗濯槽が第２洗濯槽の排水を待つとき、第２洗濯槽の水を繰り返し利用することができるかどうかを判断し、繰り返し利用することができない場合、第１洗濯槽はきれいな水を直接取水し、繰り返し利用することができる場合、第２洗濯槽の水を第１洗濯槽に排出して繰り返し利用することを特徴とする、請求項１１または１２に記載の複数槽洗濯機の水を繰り返し利用する制御方法。
【請求項１４】
第１洗濯槽が取水プログラムに達したとき、第２洗濯槽が排水している場合、第２洗濯槽が排水プログラムに達する時間Ｔ２２は０であり、待つ必要はないことを特徴とする、請求項１１〜１３のいずれか１項に記載の複数槽洗濯機の水を繰り返し利用する制御方法。
【請求項１５】
第１洗濯槽が取水プログラムに達したとき、開始する取水プログラムが最後のすすぎの取水であるかどうかを判断し、そうである場合、第１洗濯槽はきれいな水を直接取水し、そうでない場合、第２洗濯槽が排水プログラムに達する時間Ｔ２２と、第１洗濯槽が次回の取水プログラムに達する時間Ｔ２１とを引き続き比較することを特徴とする、請求項１１〜１４のいずれか１項に記載の複数槽洗濯機の水を繰り返し利用する制御方法。
【請求項１６】
第２洗濯槽の水を第１洗濯槽に排出する前に、第１洗濯槽が洗濯の取水プログラムを実行するかどうかを判断し、洗濯の取水プログラムを実行する場合、第１洗濯槽は先に洗剤ケースを洗い流す取水を行い、第１洗濯槽の洗剤ケースを洗い流す取水が終了した後、第２洗濯槽の水を第１洗濯槽に排出し、そうでない場合、直接第２洗濯槽の水を第１洗濯槽に排出することを特徴とする、請求項１１〜１５のいずれか１項に記載の複数槽洗濯機の水を繰り返し利用する制御方法。
【請求項１７】
第２洗濯槽の水を第１洗濯槽に排出するとき、第１洗濯槽内の水位の高さを測定し、第１洗濯槽内の水位が設定水位値に達したとき、第２洗濯槽内にまだ水がある場合、第２洗濯槽の残りの水は直接排出し；第２洗濯槽内の水を全て第１洗濯槽内に排出しても、第１洗濯槽内の水位が設定水位値に達しない場合、第１洗濯槽はきれいな水を取水することを特徴とする、請求項１１〜１６のいずれか１項に記載の複数槽洗濯機の水を繰り返し利用する制御方法。
【請求項１８】
第２洗濯槽の水を直接排出する前に、第１洗濯槽がこのとき脱水プログラムを実行しているかどうかを判断し、脱水プログラムを実行している場合、第２洗濯槽は第１洗濯槽の脱水の完了を待って排水し、そうでない場合、第１洗濯槽の脱水までの時間をＴ４１、第１洗濯槽の脱水の所要時間をＴ４４とし、許容待ち時間Ｔ４を設定し、Ｔ４１＋Ｔ４４＜Ｔ４の場合、第２洗濯槽は第１洗濯槽の脱水の完了を待って排水し、そうでなければ第２洗濯槽の水は直接排出することを特徴とする、請求項１１〜１７のいずれか１項に記載の複数槽洗濯機の水を繰り返し利用する制御方法。
【請求項１９】
第２洗濯槽の排水時、洗濯状態であり、第１洗濯槽の取水時、すすぎ状態であるか、または第２洗濯槽の排水時および第１洗濯槽の取水時、いずれも洗濯状態であり、第２洗濯槽の洗濯回数が第１洗濯槽の洗濯回数より少ないか、または第２洗濯槽の排水時および第１洗濯槽の取水時、いずれもすすぎ状態であり、第２洗濯槽のすすぎ回数が第１洗濯槽のすすぎ回数より少ない場合、第２洗濯槽の水は繰り返し利用することができないことを特徴とする、請求項１１〜１８のいずれか１項に記載の複数槽洗濯機の水を繰り返し利用する制御方法。
【請求項２０】
第２洗濯槽が取水プログラムに達したとき、第１洗濯槽が排水プログラムに達する時間と、第２洗濯槽が次回の取水プログラムに達する時間とを比較し、第１洗濯槽の排水を第２洗濯槽が待つかどうかを判断することを特徴とする、請求項１１〜１９のいずれか１項に記載の複数槽洗濯機の水を繰り返し利用する制御方法。
【発明の詳細な説明】
【技術分野】
【０００１】
本発明は洗濯分野に関し、特に複数槽洗濯機の水を繰り返し利用する制御方法に関する。
【背景技術】
【０００２】
現在、市場で販売されているドラム式洗濯機の多くは洗濯槽を１つしか有さない。人々の衛生意識が高まるのに伴い、次第に多くのユーザが、異なるタイプの衣類を分けて洗濯する、または少量の衣類を速やかに洗濯する必要性を感じている。
【０００３】
人々の生活の質が向上するのに伴い、衛生意識も次第に高まっており、特に家庭での衣類の洗濯において、次第に多くの人が衣類を分けて洗濯している。既存の洗濯機を用いて、複数回洗濯する方式を講じる場合、洗濯時間の要求を満たすのが難しい。２台または数台の洗濯機を購入し、分けて同時に洗濯する場合、エネルギーおよび水資源の極めて大きい浪費となるだけでなく、占有空間が大きく、家庭での使用に適さない。したがって、複数槽洗濯機を用いると、上記の需要を満たすことができ、エネルギー、水、および空間の浪費となる問題を解決する。
【０００４】
中国特許第２０１１２０３２６４５１．６号明細書は、少なくとも２つの洗濯槽を含む洗濯機を開示している。前記洗濯槽の間は連通管により接続され、該連通管に制御バルブおよびポンプが設置される。制御バルブおよびポンプを利用し、双方のドラムにおける洗濯水の相互利用を実現する。しかし、相互利用の制御方法は開示されていない。実際に、２つの槽の水は相互利用することができるときもあるが、相互利用することができないときもある。繰り返し利用するかどうかを人が選択することしかできない場合、洗濯機を常に観察して操作するには、人が家にいるとき以外不可能であり、操作が不便であり、さらに判断が不正確になる欠点が存在する。本発明は自動的、知能的な複数槽洗濯機の水を繰り返し利用する制御方法を開発する。
【０００５】
このことを考慮して、本発明を示す。
【先行技術文献】
【特許文献】
【０００６】
【特許文献１】中国特許第２０１１２０３２６４５１．６号明細書
【発明の概要】
【発明が解決しようとする課題】
【０００７】
本発明の目的は既存技術の不足を克服することであり、複数槽洗濯機の水を繰り返し利用する制御方法を提供し、水を充分に繰り返し利用することを実現する。
【課題を解決するための手段】
【０００８】
該目的を実現するため、本発明は以下の技術案を採用する。複数槽洗濯機の水を繰り返し利用する制御方法において、前記複数槽洗濯機は少なくとも第１洗濯槽および第２洗濯槽を含む。第１洗濯槽および第２洗濯槽が同時に動作状態にあるとき、第１洗濯槽が排水プログラムに達すると、第２洗濯槽が取水プログラムに達する時間Ｔ１２と、第１洗濯槽が次回の排水プログラムに達する時間Ｔ１１とを比較する。Ｔ１２＜Ｔ１１の場合、第１洗濯槽は第２洗濯槽の取水を待ち、Ｔ１２≧Ｔ１１の場合、第１洗濯槽の水は直接排出する。
【０００９】
許容待ち時間Ｔ１（Ｔ１＜Ｔ１１）を設定し、第２洗濯槽が取水プログラムに達する時間Ｔ１２と、設定した許容待ち時間Ｔ１とを比較する。Ｔ１２＜Ｔ１の場合、第１洗濯槽は第２洗濯槽の取水を待ち、Ｔ１２≧Ｔ１の場合、第１洗濯槽の水は直接排出する。好ましくは、第１洗濯槽の最大待ち時間は３０分間である。
【００１０】
第２洗濯槽が取水プログラムに達する時間Ｔ１２と、第１洗濯槽が次回の排水プログラムに達する時間Ｔ１１とを比較する前に、第１洗濯槽の水を繰り返し利用することができるかどうかを判断する。繰り返し利用することができない場合、第１洗濯槽の水は直接排出し、繰り返し利用することができる場合、第２洗濯槽が取水プログラムに達する時間Ｔ１２と、第１洗濯槽が次回の排水プログラムに達する時間Ｔ１１とを比較する。
または第１洗濯槽が第２洗濯槽の取水を待つとき、第１洗濯槽の水を繰り返し利用することができるかどうかを判断する。繰り返し利用することができない場合、第１洗濯槽の水は直接排出し、繰り返し利用することができる場合、第１洗濯槽の水を第２洗濯槽に排出して、水を繰り返し利用する。
【００１１】
第１洗濯槽が排水プログラムに達したとき、第２洗濯槽が取水している場合、第２洗濯槽が取水プログラムに達する時間Ｔ１２は０であり、待つ必要はない。
【００１２】
第１洗濯槽内の水の濁度値または泡沫濃度値を測定する。濁度値または泡沫濃度値が設定値より小さい場合、第１洗濯槽の水は繰り返し利用することができ、そうでなければ第１洗濯槽の水は繰り返し利用することができず、直接排出する。
【００１３】
第１洗濯槽が排水プログラムに達すると、第２洗濯槽が実行している、または実行しようとしているのが、最後のすすぎの取水であるかどうかを判断する。そうである場合、第１洗濯槽の水は直接排出し、そうでない場合、第１洗濯槽の水を繰り返し利用するかどうかを引き続き判断する。
【００１４】
第１洗濯槽の水を第２洗濯槽に排出する前に、第２洗濯槽が洗濯の取水プログラムを実行しているかどうかを判断する。洗濯の取水プログラムを実行している場合、第２洗濯槽は先に洗剤ケースを洗い流す取水を行い、第２洗濯槽の洗剤ケースを洗い流す取水が終了した後、第１洗濯槽の水を第２洗濯槽に排出する。そうでない場合、直接第１洗濯槽の水を第２洗濯槽に排出する。
【００１５】
第１洗濯槽の水を第２洗濯槽に排出するとき、第２洗濯槽内の水位の高さを測定する。第２洗濯槽内の水位が設定水位値に達したとき、第１洗濯槽内にまだ水がある場合、第１洗濯槽の残りの水は直接排出する。第１洗濯槽内の水を全て第２洗濯槽内に排出しても、第２洗濯槽内の水位が設定水位値に達しない場合、第２洗濯槽はきれいな水を取水する。
【００１６】
第１洗濯槽内の水を直接排出するとき、第２洗濯槽がこのとき脱水プログラムを実行しているかどうかを判断する。脱水プログラムを実行している場合、第１洗濯槽は第２洗濯槽の脱水の完了を待って排水する。そうでない場合、第２洗濯槽の脱水までの時間をＴ３２、第２洗濯槽の脱水の所要時間をＴ３３とし、許容待ち時間Ｔ３を設定する。Ｔ３２＋Ｔ３３＜Ｔ３の場合、第１洗濯槽は第２洗濯槽の脱水の完了を待って排水し、そうでなければ第１洗濯槽の水は直接排出する。
【００１７】
第１洗濯槽の排水時、洗濯状態であり、第２洗濯槽の取水時、すすぎ状態であるか、または第１洗濯槽の排水時および第２洗濯槽の取水時、いずれも洗濯状態であり、第１洗濯槽の洗濯回数が第２洗濯槽の洗濯回数より少ないか、または第１洗濯槽の排水時および第２洗濯槽の取水時、いずれもすすぎ状態であり、第１洗濯槽のすすぎ回数が第２洗濯槽のすすぎ回数より少ない場合、第１洗濯槽の水は繰り返し利用することができない。
【００１８】
第２洗濯槽が排水プログラムに達したとき、第１洗濯槽が取水プログラムに達する時間と、第２洗濯槽が次回の排水プログラムに達する時間とを比較し、第１洗濯槽が取水プログラムを実行するまで、第２洗濯槽が待つかどうかを判断する。
【００１９】
複数槽洗濯機の水を繰り返し利用する制御方法において、前記複数槽洗濯機は少なくとも第１洗濯槽および第２洗濯槽を含む。第１洗濯槽および第２洗濯槽が同時に動作状態にあるとき、水を繰り返し利用する制御方法は次の通りである。第１洗濯槽が取水プログラムに達したとき、第２洗濯槽が排水プログラムに達する時間Ｔ２２と、第１洗濯槽が次回の取水プログラムに達する時間Ｔ２１とを比較する。Ｔ２２≧Ｔ２１の場合、第１洗濯槽はきれいな水を直接取水し、Ｔ２２＜Ｔ２１の場合、第１洗濯槽は第２洗濯槽の排水を待つ。
【００２０】
許容待ち時間Ｔ２（Ｔ２＜Ｔ２１）を設定し、第２洗濯槽が排水プログラムに達する時間Ｔ２２と、設定した許容待ち時間Ｔ２とを比較する。Ｔ２２＜Ｔ２の場合、第１洗濯槽は第２洗濯槽の排水を待ち、Ｔ２２≧Ｔ２の場合、第１洗濯槽はきれいな水を直接取水する。好ましくは、第１洗濯槽の最大待ち時間は３０分間である。
【００２１】
第２洗濯槽が排水プログラムに達する時間Ｔ２２と、第１洗濯槽が次回の取水プログラムに達する時間Ｔ２１とを比較する前に、第２洗濯槽の水を繰り返し利用することができるかどうかを判断する。繰り返し利用することができない場合、第１洗濯槽はきれいな水を直接取水し、繰り返し利用することができる場合、第２洗濯槽が排水プログラムに達する時間Ｔ２２と、第１洗濯槽が次回の取水プログラムに達する時間Ｔ２１とを比較する。または、第１洗濯槽が第２洗濯槽の排水を待つとき、第２洗濯槽の水を繰り返し利用することができるかどうかを判断する。繰り返し利用することができない場合、第１洗濯槽はきれいな水を直接取水し、繰り返し利用することができる場合、第２洗濯槽の水を第１洗濯槽に排出して繰り返し利用する。
【００２２】
第１洗濯槽が取水プログラムに達したとき、第２洗濯槽が排水している場合、第２洗濯槽が排水プログラムに達する時間Ｔ２２は０であり、待つ必要はない。
【００２３】
第２洗濯槽内の水の濁度値または泡沫濃度値を測定する。濁度値または泡沫濃度値が設定値より小さい場合、第２洗濯槽の水は繰り返し利用することができ、そうでなければ第２洗濯槽の水は繰り返し利用することができない。
【００２４】
第１洗濯槽が取水プログラムに達したとき、開始する取水プログラムが最後のすすぎの取水であるかどうかを判断する。そうである場合、第１洗濯槽はきれいな水を直接取水し、そうでない場合、第２洗濯槽が排水プログラムに達する時間Ｔ２２と、第１洗濯槽が次回の取水プログラムに達する時間Ｔ２１とを引き続き比較する。
【００２５】
第２洗濯槽の水を第１洗濯槽に排出する前に、第１洗濯槽が洗濯の取水プログラムを実行しているかどうかを判断する。洗濯の取水プログラムを実行している場合、第１洗濯槽は先に洗剤ケースを洗い流す取水を行い、第１洗濯槽の洗剤ケースを洗い流す取水が終了した後、第２洗濯槽の水を第１洗濯槽に排出する。そうでない場合、直接第２洗濯槽の水を第１洗濯槽に排出する。
【００２６】
第２洗濯槽の水を第１洗濯槽に排出するとき、第１洗濯槽内の水位の高さを測定する。第１洗濯槽内の水位が設定水位値に達したとき、第２洗濯槽内にまだ水がある場合、第２洗濯槽の残りの水は直接排出する。第２洗濯槽内の水を全て第１洗濯槽内に排出しても、第１洗濯槽内の水位が設定水位値に達しない場合、第１洗濯槽はきれいな水を取水する。
【００２７】
第２洗濯槽の水を直接排出する前に、第１洗濯槽がこのとき脱水プログラムを実行しているかどうかを判断する。脱水プログラムを実行している場合、第２洗濯槽は第１洗濯槽の脱水の完了を待って排水する。そうでない場合、第１洗濯槽の脱水までの時間をＴ４１、第１洗濯槽の脱水の所要時間をＴ４４とし、許容待ち時間Ｔ４を設定する。Ｔ４１＋Ｔ４４＜Ｔ４の場合、第２洗濯槽は第１洗濯槽の脱水の完了を待って排水し、そうでなければ第２洗濯槽の水は直接排出する。
【００２８】
第２洗濯槽の排水時、洗濯状態であり、第１洗濯槽の取水時、すすぎ状態であるか、または第２洗濯槽の排水時および第１洗濯槽の取水時、いずれも洗濯状態であり、第２洗濯槽の洗濯回数が第１洗濯槽の洗濯回数より少ないか、または第２洗濯槽の排水時および第１洗濯槽の取水時、いずれもすすぎ状態であり、第２洗濯槽のすすぎ回数が第１洗濯槽のすすぎ回数より少ない場合、第２洗濯槽の水は繰り返し利用することができない。
【００２９】
第２洗濯槽が取水プログラムに達したとき、第１洗濯槽が排水プログラムに達する時間と、第２洗濯槽が次回の取水プログラムに達する時間とを比較し、第１洗濯槽の排水を第２洗濯槽が待つかどうかを判断する。
【発明の効果】
【００３０】
本発明の前記技術案を採用すると、以下の有益な効果がもたらされる。
１、本発明は、排水の待ち時間に基づき、排水プログラムに達したとき、もう１つの槽に排水するのを待ち、繰り返し使用するかどうかを判定する。簡単な判断および制御論理を有し、実際の洗濯プログラムにおいて、制御の安定性が比較的高い。さらに、水を充分に繰り返し利用することを実現し、実用的な価値が高く、より効果的に幅広く応用することができる。本発明は、取水の待ち時間に基づき、取水プログラムに達したとき、もう１つの槽の水が該槽に排出されるのを待ち、繰り返し使用するかどうかを判定する。簡単な判断および制御論理を有し、実際の洗濯プログラムにおいて、制御の安定性が比較的高い。さらに、水を充分に繰り返し利用することを実現し、実用的な価値が高く、より効果的に幅広く応用することができる。
【００３１】
２、本発明は、水質の測定、制御を追加し、繰り返し利用の信頼性を保証する。
【００３２】
３、本発明は、洗濯の取水かを判断する過程を追加し、洗濯の取水時、洗剤を洗い流す過程を保証する。
【００３３】
４、本発明は、水位の監視工程を追加し、水が過剰に下槽に流入するのを防止する。
【００３４】
５、本発明は、水を繰り返し利用することができない状況を正確に判断し、洗濯効果を保証する。
【００３５】
以下、図を組み合わせて、本発明の具体的な実施方式について、さらに詳細に記載する。
【図面の簡単な説明】
【００３６】
【図１】図１は、本発明の２槽洗濯機の構造図である。
【図２】図２は、本発明の制御方法のフローチャートである。
【図３】図３は、本発明の別の実施例における制御方法のフローチャートである。
【図４】図４は、本発明の別の実施例における制御方法のフローチャートである。
【発明を実施するための形態】
【００３７】
図１に示すように、ダブルドラム洗濯機は、衣類の洗濯工程を独立して実行することができる第１洗濯槽１および第２洗濯槽２を有する。第１洗濯槽１および第２洗濯槽は、それぞれ独立して、衣類に対して取水プログラム、洗濯プログラム、排水プログラム、すすぎプログラム、脱水プログラムを順次実行することができ、これにより衣類を洗濯する目的を達成する。好ましくは、第１洗濯槽および第２洗濯槽に、それぞれ乾燥装置を取り付けることもできる。これにより脱水プログラムの後、乾燥プログラムを実行し、第１洗濯槽１および／または第２洗濯槽２中の衣類を乾燥させる目的を達成する。好ましくは、第１洗濯槽１内に内部の洗濯水を加熱する第１加熱装置が設けられ、第２洗濯槽２内に内部の洗濯水を加熱する第２加熱装置が設けられる。これにより、洗濯プログラムを実行する過程において、対応する洗濯槽中の洗濯水を加熱処理し、衣類の洗濯過程における水温を制御し、洗濯効果を高める。
【００３８】
本発明において、第１洗濯槽は第２洗濯槽とつながり、第１洗濯槽の水は一定の条件を満たすと、第２洗濯槽に排出され、繰り返し利用することができる。第２洗濯槽の水は一定の条件を満たすと、第１洗濯槽に排出され、繰り返し利用することができる。繰り返し利用する条件を満たさない場合、排水管を介して直接排出される。水の利用率が向上し、水源の浪費を防止すると同時に、制御過程を追加し、水が比較的きれいなときしか繰り返し利用しないことを保証し、洗濯効果を保証する。
【実施例】
【００３９】
実施例１
図２に示すように、本実施例は排水の待ち時間を判断基準として採用し、水を繰り返し利用するかどうかを判断する。排水の待ち時間に基づき、排水プログラムに達したとき、もう１つの槽に排水するのを待ち、繰り返し使用するかどうかを判定する。簡単な判断および制御論理を有し、実際の洗濯プログラムにおいて、制御の安定性が比較的高い。さらに、水を充分に繰り返し利用することを実現し、実用的な価値が高く、より効果的に幅広く応用することができる。
【００４０】
第１洗濯槽および第２洗濯槽が同時に動作状態にあるとき、水を繰り返し利用する制御方法は、以下の通りである。
複数槽洗濯機の水を繰り返し利用する制御方法において、前記複数槽洗濯機は少なくとも第１洗濯槽および第２洗濯槽を含む。第１洗濯槽および第２洗濯槽が同時に動作状態にあるとき、第１洗濯槽が排水プログラムに達すると、第２洗濯槽が取水プログラムに達する時間Ｔ１２と、第１洗濯槽が次回の排水プログラムに達する時間Ｔ１１とを比較する。Ｔ１２＜Ｔ１１の場合、第１洗濯槽は第２洗濯槽の取水を待つが、２つの槽の最長待ち時間は３０分間である。Ｔ１２≧Ｔ１１の場合、第１洗濯槽の水は直接排出する。
【００４１】
第２洗濯槽が取水プログラムに達する時間Ｔ１２と、第１洗濯槽が次回の排水プログラムに達する時間Ｔ１１とを比較する前に、第１洗濯槽の水を繰り返し利用することができるかどうかを判断する。繰り返し利用することができない場合、第１洗濯槽の水は直接排出し、繰り返し利用することができる場合、第２洗濯槽が取水プログラムに達する時間Ｔ１２と、第１洗濯槽が次回の排水プログラムに達する時間Ｔ１１とを比較する。
または第１洗濯槽が第２洗濯槽の取水を待つとき、第１洗濯槽の水を繰り返し利用することができるかどうかを判断する。繰り返し利用することができない場合、第１洗濯槽の水は直接排出し、繰り返し利用することができる場合、第１洗濯槽の水を第２洗濯槽に排出し、水を繰り返し利用する。
【００４２】
具体的に次の工程を含む。工程１：第１洗濯槽が排水プログラムに達すると、第１洗濯槽の水を繰り返し利用することができるかどうかを判断する。繰り返し利用することができる場合、工程２を実行し、そうでない場合、第１洗濯槽の水は直接排出する。
工程２：第２洗濯槽が取水プログラムに達する時間Ｔ１２と、第１洗濯槽が次回の排水プログラムに達する時間Ｔ１１とを比較する。Ｔ１２＜Ｔ１１の場合、第１洗濯槽は第２洗濯槽の取水を待ち、第１洗濯槽の水を第２洗濯槽に排出して、水を繰り返し利用し、Ｔ１２≧Ｔ１１の場合、第１洗濯槽の水は直接排出する。待つかどうかを判断する過程を追加し、第１洗濯槽の水を繰り返し利用する確率を大幅に高め、より多くの水を繰り返し利用することができる。
【００４３】
工程１において、第１洗濯槽が排水プログラムに達したとき、第２洗濯槽が取水している場合、第２洗濯槽が取水プログラムに達する時間Ｔ１２は０である。待つ必要はなく、第１洗濯槽の水を第２洗濯槽に排出して、水を繰り返し利用する。第２洗濯槽が取水プログラムに達する時間Ｔ１２と、第１洗濯槽が次回の排水プログラムに達する時間Ｔ１１とを比較する前に、先に第２洗濯槽がこのとき取水プログラムを実行しているかどうかを判断することもできる。第２洗濯槽が取水プログラムを実行していない場合、さらに第２洗濯槽が取水プログラムに達する時間Ｔ１２と、第１洗濯槽が次回の排水プログラムに達する時間Ｔ１１とを比較する。
【００４４】
工程２において、許容待ち時間Ｔ１（Ｔ１＜Ｔ１１）を設定する。Ｔ１２＜Ｔ１の場合、第１洗濯槽は第２洗濯槽の取水を待ち、第１洗濯槽の水を第２洗濯槽に排出して、水を繰り返し利用し、Ｔ１２≧Ｔ１の場合、第１洗濯槽の水は直接排出する。該工程により、第１洗濯槽が長い時間待つのを防止することができ、第１洗濯槽の洗濯時間を保証する前提で、水の繰り返し利用を合理的に調整する。水を繰り返し使用することのみを考慮するために、第１洗濯槽が多くの時間を浪費することはない。洗濯機が、待ち時間が過度に長く、設定した許容待ち時間を超えたと判断した場合、第１洗濯槽の水は繰り返し利用しない。該判断は、水の繰り返し利用をより合理的にし、待ち時間と、水の繰り返し利用との関係を最大限に調整した。
【００４５】
工程１において、第１洗濯槽内の水の濁度値または泡沫濃度値を測定する。濁度値または泡沫濃度値が設定値より小さい場合、第１洗濯槽の水は繰り返し利用することができ、そうでなければ、第１洗濯槽の水は繰り返し利用することができず、直接排出する。水の濁度値または泡沫濃度値が設定範囲内にあるときしか、水は繰り返し利用することができない。
【００４６】
工程１において、第１洗濯槽が排水プログラムに達したとき、第２洗濯槽が実行している、または実行しようとしているのが、最後のすすぎの取水であるかどうかを判断する。そうである場合、第１洗濯槽の水は直接排出し、そうでない場合、第１洗濯槽の水を繰り返し利用することができるかどうかを引き続き判断する。最後のすすぎの取水は、きれいな水を取水することを保証し、衣類の洗濯完了後の効果を保証する。
【００４７】
工程２において、第１洗濯槽の水を第２洗濯槽に排出する前に、第２洗濯槽が洗濯の取水プログラムを実行しているかどうかを判断する。洗濯の取水プログラムを実行している場合、第２洗濯槽は先に洗剤ケースを洗い流す取水を行い、第２洗濯槽の洗剤ケースを洗い流す取水が終了した後、第１洗濯槽の水を第２洗濯槽に排出する。そうでない場合、直接第１洗濯槽の水を第２洗濯槽に排出する。
【００４８】
工程２において、第１洗濯槽の水を第２洗濯槽に排出するとき、第２洗濯槽内の水位の高さを測定する。第２洗濯槽内の水位が設定水位値に達したとき、第１洗濯槽内にまだ水がある場合、第１洗濯槽の残りの水は直接排出する。第１洗濯槽内の水を全て第２洗濯槽内に排出しても、第２洗濯槽内の水位が設定水位値に達しない場合、外部の取水口を介して第２洗濯槽にきれいな水を取水する。
【００４９】
第１洗濯槽内の水を直接排出するとき、第２洗濯槽がこのとき脱水プログラムを実行しているかどうかを判断する。脱水プログラムを実行している場合、第１洗濯槽は第２洗濯槽の脱水の完了を待って排水する。そうでない場合、第２洗濯槽の脱水までの時間をＴ３２、第２洗濯槽の脱水の所要時間をＴ３３とし、許容待ち時間Ｔ３を設定する。Ｔ３２＋Ｔ３３＜Ｔ３の場合、第１洗濯槽は第２洗濯槽の脱水の完了を待って排水し、そうでなければ第１洗濯槽の水は直接排出する。
【００５０】
洗濯状態および洗濯回数を判断することにより、第１洗濯槽の水を繰り返し利用することができるかを判断することもできる。工程１において、第１洗濯槽の排水時、洗濯状態であり、第２洗濯槽の取水時、すすぎ状態であるか、または第１洗濯槽の排水時および第２洗濯槽の取水時、いずれも洗濯状態であり、第１洗濯槽の洗濯回数が第２洗濯槽の洗濯回数より少ないか、または第１洗濯槽の排水時および第２洗濯槽の取水時、いずれもすすぎ状態であり、第１洗濯槽のすすぎ回数が第２洗濯槽のすすぎ回数より少ない場合、第１洗濯槽の水は繰り返し利用することができない。
【００５１】
第２洗濯槽が排水プログラムに達したとき、第２洗濯槽の水を繰り返し利用することができるかどうかを判断する。繰り返し利用することができる場合、第１洗濯槽が取水プログラムに達する時間と、第２洗濯槽が次回の排水プログラムに達する時間とを比較し、第１洗濯槽が取水プログラムを実行するまで、第２洗濯槽が待つかどうかを判断する。
【００５２】
第１洗濯槽の排水口が第２洗濯槽とつながり、第１洗濯槽内の水を第２洗濯槽に排出して、繰り返し利用することができる。第１洗濯槽の排水口部分に止水バルブが設けられ、第１洗濯槽の水は止水バルブを経過して第２洗濯槽に進入することができる。第２洗濯槽に取水バルブが設けられ、外部のきれいな水は取水バルブを介して第２洗濯槽に進入することができる。前記制御方法は以下の通りである。
１）第１洗濯槽が排水プログラムに達する。
２）第１洗濯槽内の水を繰り返し利用するかどうかを判断し、繰り返し利用する場合、工程３）を実行し、そうでない場合、工程６）を実行する。
３）第１洗濯槽が次回の排水プログラムを実行するまでの時間をＴ１１、第２洗濯槽が取水プログラムを実行するまでの時間をＴ１２とする。Ｔ１２＜Ｔ１１の場合、工程４）を実行し、Ｔ１２≧Ｔ１１の場合、工程６）を実行する。
４）第１洗濯槽は第２洗濯槽の取水を待ち、工程５）を実行する。
５）第１洗濯槽内の水を第２洗濯槽に排出する。
６）第１洗濯槽の水は直接排出する。
【００５３】
前記制御方法は、第１洗濯槽が次回の排水プログラムを実行するまでの時間と、第２洗濯槽が取水プログラムを実行するまでの時間とを比較する前に、第２洗濯槽が取水しているかどうかを判断する過程を追加することもできる。制御方法は以下の通りである。
１）第１洗濯槽が排水プログラムに達する。
２）第１洗濯槽内の水を繰り返し利用するかどうかを判断し、繰り返し利用する場合、工程３）を実行し、そうでない場合、工程７）を実行する。
３）第２洗濯槽がこのとき取水プログラムを実行しているかどうかを判断し、取水プログラムを実行していない場合、工程４）を実行し、取水プログラムを実行している場合、工程６）を実行する。
４）第１洗濯槽が次回の排水プログラムを実行するまでの時間をＴ１１、第２洗濯槽が取水プログラムを実行するまでの時間をＴ１２とする。Ｔ１２＜Ｔ１１の場合、工程５）を実行し、Ｔ１２≧Ｔ１１の場合、工程７）を実行する。
５）第１洗濯槽は第２洗濯槽の取水を待ち、工程６）を実行する。
６）第１洗濯槽内の水を第２洗濯槽に排出する。
７）第１洗濯槽の水は直接排出する。
【００５４】
前記制御方法は、第１洗濯槽が第２洗濯槽の取水を待つ時間を充分に有するかどうかを判断することを含むこともできる。制御方法は以下の通りである。
１）第１洗濯槽が排水プログラムに達する。
２）第１洗濯槽内の水を繰り返し利用するかどうかを判断し、繰り返し利用する場合、工程３）を実行し、そうでない場合、工程８）を実行する。
３）第２洗濯槽がこのとき取水プログラムを実行しているかどうかを判断し、取水プログラムを実行していない場合、工程４）を実行し、取水プログラムを実行している場合、工程７）を実行する。
４）第１洗濯槽が次回の排水プログラムを実行するまでの時間をＴ１１、第２洗濯槽が取水プログラムを実行するまでの時間をＴ１２とする。Ｔ１２＜Ｔ１１の場合、工程５）を実行し、Ｔ１２≧Ｔ１１の場合、工程８）を実行する。
５）許容待ち時間Ｔ１を設定し、Ｔ１２＜Ｔ１の場合、工程６）を実行し、Ｔ１２≧Ｔ１の場合、工程８）を実行する。
６）第１洗濯槽は第２洗濯槽の取水を待ち、工程７）を実行する。
７）第１洗濯槽内の水を第２洗濯槽に排出する。
８）第１洗濯槽の水は直接排出する。
【００５５】
前記第１洗濯槽の水が汚い場合、繰り返し利用することはできない。または第２洗濯槽が最後のすすぎの取水であっても、繰り返し利用することはできない。制御方法は以下の通りである。
１）第１洗濯槽が排水プログラムに達する。
２）第１洗濯槽内の水の濁度値または泡沫濃度値を測定し、濁度値または泡沫濃度値が設定値より小さいかどうかを判断する。
設定値より小さい場合、工程３）を実行し、そうでない場合、工程９）を実行する。
３）第２洗濯槽が最後のすすぎの取水を残すのみであるかどうかを判断し、そうでない場合、工程４）を実行し、そうである場合、工程９）を実行する。
４）第２洗濯槽がこのとき取水プログラムを実行しているかどうかを判断し、取水プログラムを実行していない場合、工程５）を実行し、取水プログラムを実行している場合、工程８）を実行する。
５）第１洗濯槽が次回の排水プログラムを実行するまでの時間をＴ１１、第２洗濯槽が取水プログラムを実行するまでの時間をＴ１２とする。Ｔ１２＜Ｔ１１の場合、工程６）を実行し、Ｔ１２≧Ｔ１１の場合、工程９）を実行する。
６）許容待ち時間Ｔ１を設定し、Ｔ１２＜Ｔ１の場合、工程７）を実行し、Ｔ１２≧Ｔ１の場合、工程９）を実行する。
７）第１洗濯槽は第２洗濯槽の取水を待ち、工程８）を実行する。
８）第１洗濯槽内の水を第２洗濯槽に排出する。
９）第１洗濯槽の水は直接排出する。
【００５６】
第１洗濯槽の水を第２洗濯槽に排出するとき、第２洗濯槽が洗濯の取水である場合、洗剤ケースを洗い流す必要も、水位を測定する必要もある。制御方法は以下の通りである。
１）第１洗濯槽が排水プログラムに達する。
２）第１洗濯槽内の水の濁度値または泡沫濃度値を測定し、濁度値または泡沫濃度値が設定値より小さいかどうかを判断する。
設定値より小さい場合、工程３）を実行し、そうでない場合、工程１２）を実行する。
３）第２洗濯槽が最後のすすぎの取水を残すのみであるかどうかを判断し、そうでない場合、工程４）を実行し、そうである場合、工程１２）を実行する。
４）第２洗濯槽がこのとき取水プログラムを実行しているかどうかを判断し、取水プログラムを実行していない場合、工程５）を実行し、取水プログラムを実行している場合、工程１０）を実行する。
５）第１洗濯槽が次回の排水プログラムを実行するまでの時間をＴ１１、第２洗濯槽が取水プログラムを実行するまでの時間をＴ１２とする。Ｔ１２＜Ｔ１１の場合、工程６）を実行し、Ｔ１２≧Ｔ１１の場合、工程１２）を実行する。
６）許容待ち時間Ｔ１を設定し、Ｔ１２＜Ｔ１の場合、工程７）を実行し、Ｔ１２≧Ｔ１の場合、工程１２）を実行する。
７）第２洗濯槽が洗濯の取水プログラムを実行するかどうかを判断し、洗濯の取水プログラムを実行する場合、工程８）を実行し、そうでない場合、工程１０）を実行する。
８）第２洗濯槽は先に洗剤ケースを洗い流す取水を行い、第２洗濯槽の洗剤ケースを洗い流す取水が終了した後、工程９）を実行する。
９）第１洗濯槽は第２洗濯槽の取水を待ち、工程１０）を実行する。
１０）第１洗濯槽内の水を第２洗濯槽に排出する。
１１）第２洗濯槽内の水位の高さを測定し、第２洗濯槽内の水位が設定水位値に達したとき、第１洗濯槽内にまだ水がある場合、残りの水は直接排出する。第１洗濯槽内の水を全て第２洗濯槽内に排出しても、第２洗濯槽内の水位が設定水位値に達しない場合、第２洗濯槽はきれいな水を取水する。
１２）第１洗濯槽の水は直接排出する。
【００５７】
本実施例における第１洗濯槽および第２洗濯槽は、説明を便利にするために付けた番号に過ぎない。順序関係を割り当てず、第２洗濯槽の水を繰り返し利用することもできる。第２洗濯槽の排水口が第１洗濯槽とつながり、第２洗濯槽内の水を第１洗濯槽に排出して、繰り返し利用することができる。第２洗濯槽の排水口部分に止水バルブが設けられ、第２洗濯槽の水は止水バルブを経過して第１洗濯槽に進入することができる。第１洗濯槽に取水バルブが設けられ、外部のきれいな水は取水バルブを介して第１洗濯槽に進入することができる。１つの洗濯槽が排水に達し、該洗濯槽の水をもう１つの洗濯槽に排出して繰り返し利用するかどうかを判断するとき、もう１つの洗濯槽が排水に達しても、もう１つの洗濯槽の水を繰り返し利用することは考慮せず、２つの槽がいずれも待つことにより、閉鎖ループとなるのを防止する。
【００５８】
制御方法は以下の通りである。
１）第２洗濯槽が排水プログラムに達する。
２）第２洗濯槽内の水を繰り返し利用するかどうかを判断し、繰り返し利用する場合、工程３）を実行し、そうでない場合、工程６）を実行する。
３）第２洗濯槽が次回の排水プログラムを実行するまでの時間をＴ１１、第１洗濯槽が取水プログラムを実行するまでの時間をＴ１２とする。Ｔ１２＜Ｔ１１の場合、工程４）を実行し、Ｔ１２≧Ｔ１１の場合、工程６）を実行する。
４）第２洗濯槽は第１洗濯槽の取水を待ち、工程５）を実行する。
５）第２洗濯槽内の水を第１洗濯槽に排出する。
６）第２洗濯槽の水は直接排出する。
【００５９】
前記制御方法は、第２洗濯槽が次回の排水プログラムを実行するまでの時間と、第１洗濯槽が取水プログラムを実行するまでの時間とを比較する前に、第１洗濯槽が取水しているかどうかを判断する過程を追加することもできる。制御方法は以下の通りである。
１）第２洗濯槽が排水プログラムに達する。
２）第２洗濯槽内の水を繰り返し利用するかどうかを判断し、繰り返し利用する場合、工程３）を実行し、そうでない場合、工程７）を実行する。
３）第１洗濯槽がこのとき取水プログラムを実行しているかどうかを判断し、取水プログラムを実行していない場合、工程４）を実行し、取水プログラムを実行している場合、工程６）を実行する。
４）第２洗濯槽が次回の排水プログラムを実行するまでの時間をＴ１１、第１洗濯槽が取水プログラムを実行するまでの時間をＴ１２とする。Ｔ１２＜Ｔ１１の場合、工程５）を実行し、Ｔ１２≧Ｔ１１の場合、工程７）を実行する。
５）第２洗濯槽は第１洗濯槽の取水を待ち、工程６）を実行する。
６）第２洗濯槽内の水を第１洗濯槽に排出する。
７）第２洗濯槽内の水は直接排出する。
【００６０】
前記制御方法は、第２洗濯槽が第１洗濯槽の取水を待つ時間を充分に有するかどうかを判断することを含むこともできる。制御方法は以下の通りである。
１）第２洗濯槽が排水プログラムに達する。
２）第２洗濯槽内の水を繰り返し利用するかどうかを判断し、繰り返し利用する場合、工程３）を実行し、そうでない場合、工程８）を実行する。
３）第１洗濯槽がこのとき取水プログラムを実行しているかどうかを判断し、取水プログラムを実行していない場合、工程４）を実行し、取水プログラムを実行している場合、工程７）を実行する。
４）第２洗濯槽が次回の排水プログラムを実行するまでの時間をＴ１１、第１洗濯槽が取水プログラムを実行するまでの時間をＴ１２とする。Ｔ１２＜Ｔ１１の場合、工程５）を実行し、Ｔ１２≧Ｔ１１の場合、工程８）を実行する。
５）許容待ち時間Ｔ１を設定し、Ｔ１２＜Ｔ１の場合、工程６）を実行し、Ｔ１２≧Ｔ１の場合、工程８）を実行する。
６）第２洗濯槽は第１洗濯槽の取水を待ち、工程７）を実行する。
７）第２洗濯槽内の水を第１洗濯槽に排出する。
８）第２洗濯槽内の水は直接排出する。
【００６１】
前記第２洗濯槽の水が汚い場合、繰り返し利用することはできない。または第１洗濯槽が最後のすすぎの取水であっても、繰り返し利用することはできない。制御方法は以下の通りである。
１）第２洗濯槽が排水プログラムに達する。
２）第２洗濯槽内の水の濁度値または泡沫濃度値を測定し、濁度値または泡沫濃度値が設定値より小さいかどうかを判断する。
設定値より小さい場合、工程３）を実行し、そうでない場合、工程９）を実行する。
３）第１洗濯槽が最後のすすぎの取水を残すのみであるかどうかを判断し、そうでない場合、工程４）を実行し、そうである場合、工程９）を実行する。
４）第１洗濯槽がこのとき取水プログラムを実行しているかどうかを判断し、取水プログラムを実行していない場合、工程５）を実行し、取水プログラムを実行している場合、工程８）を実行する。
５）第２洗濯槽が次回の排水プログラムを実行するまでの時間をＴ１１、第１洗濯槽が取水プログラムを実行するまでの時間をＴ１２とする。Ｔ１２＜Ｔ１１の場合、工程６）を実行し、Ｔ１２≧Ｔ１１の場合、工程９）を実行する。
６）許容待ち時間Ｔ１を設定し、Ｔ１２＜Ｔ１の場合、工程７）を実行し、Ｔ１２≧Ｔ１の場合、工程９）を実行する。
７）第２洗濯槽は第１洗濯槽の取水を待ち、工程８）を実行する。
８）第２洗濯槽内の水を第１洗濯槽に排出する。
９）第２洗濯槽内の水は直接排出する。
【００６２】
第２洗濯槽の水を第１洗濯槽に排出するとき、第１洗濯槽が洗濯の取水である場合、洗剤ケースを洗い流す必要も、水位を測定する必要もある。制御方法は以下の通りである。
１）第２洗濯槽が排水プログラムに達する。
２）第２洗濯槽内の水の濁度値または泡沫濃度値を測定し、濁度値または泡沫濃度値が設定値より小さいかどうかを判断する。
設定値より小さい場合、工程３）を実行し、そうでない場合、工程１２）を実行する。
３）第１洗濯槽が最後のすすぎの取水を残すのみであるかどうかを判断し、そうでない場合、工程４）を実行し、そうである場合、工程１２）を実行する。
４）第１洗濯槽がこのとき取水プログラムを実行しているかどうかを判断し、取水プログラムを実行していない場合、工程５）を実行し、取水プログラムを実行している場合、工程１０）を実行する。
５）第２洗濯槽が次回の排水プログラムを実行するまでの時間をＴ１１、第１洗濯槽が取水プログラムを実行するまでの時間をＴ１２とする。Ｔ１２＜Ｔ１１の場合、工程６）を実行し、Ｔ１２≧Ｔ１１の場合、工程１２）を実行する。
６）許容待ち時間Ｔ１を設定し、Ｔ１２＜Ｔ１の場合、工程７）を実行し、Ｔ１２≧Ｔ１の場合、工程１２）を実行する。
７）第１洗濯槽が洗濯の取水プログラムを実行するかどうかを判断し、洗濯の取水プログラムを実行する場合、工程８）を実行し、そうでない場合、工程１０）を実行する。
８）第１洗濯槽は先に洗剤ケースを洗い流す取水を行い、第１洗濯槽の洗剤ケースを洗い流す取水が終了した後、工程９）を実行する。
９）第２洗濯槽は第１洗濯槽の取水を待ち、工程１０）を実行する。
１０）第２洗濯槽内の水を第１洗濯槽に排出する。
１１）第１洗濯槽内の水位の高さを測定し、第１洗濯槽内の水位が設定水位値に達したとき、第２洗濯槽内にまだ水がある場合、残りの水は直接排出する。第２洗濯槽内の水を全て第１洗濯槽内に排出しても、第１洗濯槽内の水位が設定水位値に達しない場合、外部の取水口を介して第１洗濯槽に取水する。
１２）第２洗濯槽内の水は直接排出する。
【００６３】
実施例２
図３に示すように、本実施例は取水の待ち時間を判断基準として採用し、水を繰り返し利用するかどうかを判断する。取水の待ち時間に基づき、取水プログラムに達したとき、もう１つの槽の排水を待ち、繰り返し使用するかどうかを判定する。簡単な判断および制御論理を有し、実際の洗濯プログラムにおいて、制御の安定性が比較的高い。さらに、水を充分に繰り返し利用することを実現し、実用的な価値が高く、より効果的に幅広く応用することができる。
【００６４】
第１洗濯槽および第２洗濯槽が同時に動作状態にあるとき、水を繰り返し利用する制御方法は、以下の通りである。
複数槽洗濯機の水を繰り返し利用する制御方法において、前記複数槽洗濯機は少なくとも第１洗濯槽および第２洗濯槽を含む。第１洗濯槽および第２洗濯槽が同時に動作状態にあるとき、水を繰り返し利用する制御方法は次の通りである。第１洗濯槽が取水プログラムに達したとき、第２洗濯槽が排水プログラムに達する時間Ｔ２２と、第１洗濯槽が次回の取水プログラムに達する時間Ｔ２１とを比較する。Ｔ２２≧Ｔ２１の場合、第１洗濯槽はきれいな水を直接取水し、Ｔ２２＜Ｔ２１の場合、第１洗濯槽は第２洗濯槽の排水を待つ。しかし、２つの槽の最大待ち時間はいずれも３０分間である。
【００６５】
第２洗濯槽が排水プログラムに達する時間Ｔ２２と、第１洗濯槽が次回の取水プログラムに達する時間Ｔ２１とを比較する前に、第２洗濯槽の水を繰り返し利用することができるかどうかを判断する。繰り返し利用することができない場合、第１洗濯槽はきれいな水を直接取水し、繰り返し利用することができる場合、第２洗濯槽が排水プログラムに達する時間Ｔ２２と、第１洗濯槽が次回の取水プログラムに達する時間Ｔ２１とを比較する。または、第１洗濯槽が第２洗濯槽の排水を待つとき、第２洗濯槽の水を繰り返し利用することができるかどうかを判断する。繰り返し利用することができない場合、第１洗濯槽はきれいな水を直接取水し、繰り返し利用することができる場合、第２洗濯槽の水を第１洗濯槽に排出して繰り返し利用する。
【００６６】
具体的に、工程１：第１洗濯槽が取水プログラムに達すると、第２洗濯槽が排水プログラムに達する時間Ｔ２２と、第１洗濯槽が次回の取水プログラムに達する時間Ｔ２１とを比較する。Ｔ２２≧Ｔ２１の場合、第１洗濯槽はきれいな水を直接取水し、Ｔ２２＜Ｔ２１の場合、第１洗濯槽は第２洗濯槽の排水を待ち、工程２を実行する。
工程２：第２洗濯槽の水を繰り返し利用することができるかどうかを判断する。繰り返し利用することができる場合、第２洗濯槽の水を第１洗濯槽に排出して繰り返し利用し、そうでない場合、第１洗濯槽はきれいな水を直接取水する。待つかどうかを判断する過程を追加し、第２洗濯槽の水を繰り返し利用する確率を大幅に高め、より多くの水を繰り返し利用することができる。
【００６７】
工程１において、第１洗濯槽が取水プログラムに達したとき、第２洗濯槽が排水している場合、第２洗濯槽が排水プログラムに達する時間Ｔ２２は０である。待つ必要はなく、直接工程２に進む。第２洗濯槽が排水プログラムに達する時間Ｔ２２と、第１洗濯槽が次回の取水プログラムに達する時間Ｔ２１とを比較する前に、先に第２洗濯槽がこのとき排水プログラムを実行しているかどうかを判断することもできる。第２洗濯槽が排水プログラムを実行していない場合、さらに第２洗濯槽が排水プログラムに達する時間Ｔ２２と、第１洗濯槽が次回の取水プログラムに達する時間Ｔ２１とを比較する。
【００６８】
工程１において、許容待ち時間Ｔ２（Ｔ２＜Ｔ２１）を設定する。Ｔ２２＜Ｔ２の場合、第１洗濯槽は第２洗濯槽の排水を待ち、工程２を実行し、Ｔ２２≧Ｔ２の場合、第１洗濯槽はきれいな水を直接取水する。該工程により、第１洗濯槽が長い時間待つのを防止することができ、第１洗濯槽の洗濯時間を保証する前提で、水の繰り返し利用を合理的に調整する。水を繰り返し使用することのみを考慮するために、第１洗濯槽の多くの時間を浪費することはない。洗濯機が、待つ時間が過度に長く、設定した許容待ち時間を超えたと判断した場合、第１洗濯槽は第２洗濯槽の水をくり返し利用しない。該判断は、水の繰り返し利用をより合理的にし、待つ時間と、水の繰り返し利用との関係を最大限に調整した。
【００６９】
工程２において、第２洗濯槽内の水の濁度値または泡沫濃度値を測定する。濁度値または泡沫濃度値が設定値より小さい場合、第２洗濯槽の水は繰り返し利用することができ、そうでなければ第２洗濯槽の水は繰り返し利用することができない。水の濁度値または泡沫濃度値が設定範囲内にあるときしか、水は繰り返し利用することができない。
【００７０】
工程１において、第１洗濯槽が取水プログラムに達したとき、開始する取水プログラムが最後のすすぎの取水であるかどうかを判断する。そうである場合、第１洗濯槽はきれいな水を直接取水し、そうでない場合、第２洗濯槽が排水プログラムに達する時間Ｔ２２と、第１洗濯槽が次回の取水プログラムに達する時間Ｔ２１とを引き続き比較する。最後のすすぎの取水は、きれいな水を取水することを保証し、衣類の洗濯完了後の効果を保証する。
【００７１】
工程２において、第２洗濯槽の水を第１洗濯槽に排出するとき、第１洗濯槽が洗濯の取水プログラムを実行するかどうかを判断する。洗濯の取水プログラムを実行する場合、第１洗濯槽は先に洗剤ケースを洗い流す取水を行い、第１洗濯槽の洗剤ケースを洗い流す取水が終了した後、第２洗濯槽の水を第１洗濯槽に排出する。そうでない場合、直接第２洗濯槽の水を第１洗濯槽に排出する。
【００７２】
工程２において、第２洗濯槽の水を第１洗濯槽に排出するとき、第１洗濯槽内の水位の高さを測定する。第１洗濯槽内の水位が設定水位値に達したとき、第２洗濯槽内にまだ水がある場合、第２洗濯槽の残りの水は直接排出する。第２洗濯槽内の水を全て第１洗濯槽内に排出しても、第１洗濯槽内の水位が設定水位値に達しない場合、第１洗濯槽はきれいな水を取水する。
【００７３】
第２洗濯槽の水を直接排出するとき、第１洗濯槽がこのとき脱水プログラムを実行しているかどうかを判断する。脱水プログラムを実行している場合、第２洗濯槽は第１洗濯槽の脱水の完了を待って排水する。そうでない場合、第１洗濯槽の脱水までの時間をＴ４１、第１洗濯槽の脱水の所要時間をＴ４４とし、許容待ち時間Ｔ４を設定する。Ｔ４１＋Ｔ４４＜Ｔ４の場合、第２洗濯槽は第１洗濯槽の脱水の完了を待って排水し、そうでなければ第２洗濯槽の水は直接排出する。
【００７４】
洗濯状態および洗濯回数を判断することにより、第２洗濯槽の水を繰り返し利用することができるかを判断することもできる。工程２において、第２洗濯槽の排水時、洗濯状態であり、第１洗濯槽の取水時、すすぎ状態であるか、または第２洗濯槽の排水時および第１洗濯槽の取水時、いずれも洗濯状態であり、第２洗濯槽の洗濯回数が第１洗濯槽の洗濯回数より少ないか、または第２洗濯槽の排水時および第１洗濯槽の取水時、いずれもすすぎ状態であり、第２洗濯槽のすすぎ回数が第１洗濯槽のすすぎ回数より少ない場合、第２濯槽の水は繰り返し利用することができない。
【００７５】
第２洗濯槽が取水プログラムに達したとき、第１洗濯槽が排水プログラムに達する時間と、第２洗濯槽が次回の取水プログラムに達する時間とを比較し、第２洗濯槽が第１洗濯槽の排水を待つかどうかを判断する。
【００７６】
第２洗濯槽の排水口が第１洗濯槽とつながり、第２洗濯槽内の水を第１洗濯槽に排出して、繰り返し利用することができる。第２洗濯槽の排水口部分に止水バルブが設けられ、第２洗濯槽の水は止水バルブを経過して第１洗濯槽に進入することができる。第１洗濯槽に取水バルブが設けられ、外部のきれいな水は取水バルブを介して第１洗濯槽に進入することができる。前記制御方法は以下の通りである。
１）第１洗濯槽が取水プログラムに達する。
２）第２洗濯槽内の水を繰り返し利用するかどうかを判断し、繰り返し利用する場合、工程３）を実行し、そうでない場合、工程６）を実行する。
３）第１洗濯槽が次回の取水プログラムを実行するまでの時間をＴ２１、第２洗濯槽が排水プログラムを実行するまでの時間をＴ２２とする。Ｔ２２＜Ｔ２１の場合、工程４）を実行し、Ｔ２２≧Ｔ２１の場合、工程６）を実行する。
４）第１洗濯槽は第２洗濯槽の排水を待ち、工程５）を実行する。
５）第２洗濯槽内の水を第１洗濯槽に排出する。
６）第１洗濯槽はきれいな水を直接取水し、第２洗濯槽の水は直接排出する。
【００７７】
前記制御方法は、第２洗濯槽が排水プログラムに達する時間Ｔ２２と、第１洗濯槽が次回の取水プログラムに達する時間Ｔ２１とを比較する前に、第２洗濯槽が排水しているかどうかを判断する過程を追加することもできる。制御方法は以下の通りである。
１）第１洗濯槽が取水プログラムに達する。
２）第２洗濯槽内の水を繰り返し利用するかどうかを判断し、繰り返し利用する場合、工程３）を実行し、そうでない場合、工程７）を実行する。
３）第２洗濯槽がこのとき排水プログラムを実行しているかどうかを判断し、排水プログラムを実行していない場合、工程４）を実行し、排水プログラムを実行している場合、工程６）を実行する。
４）第１洗濯槽が次回の取水プログラムを実行するまでの時間をＴ２１、第２洗濯槽が排水プログラムを実行するまでの時間をＴ２２とする。Ｔ２２＜Ｔ２１の場合、工程５）を実行し、Ｔ２２≧Ｔ２１の場合、工程７）を実行する。
５）第１洗濯槽は第２洗濯槽の排水を待ち、工程６）を実行する。
６）第２洗濯槽内の水を第１洗濯槽に排出する。
７）第１洗濯槽はきれいな水を直接取水し、第２洗濯槽の水は直接排出する。
【００７８】
前記制御方法は、第１洗濯槽が第２洗濯槽の排水を待つ時間を充分に有するかどうかを判断することを含むこともできる。制御方法は以下の通りである。
１）第１洗濯槽が取水プログラムに達する。
２）第２洗濯槽内の水を繰り返し利用するかどうかを判断し、繰り返し利用する場合、工程３）を実行し、そうでない場合、工程８）を実行する。
３）第２洗濯槽がこのとき排水プログラムを実行しているかどうかを判断し、排水プログラムを実行していない場合、工程４）を実行し、排水プログラムを実行している場合、工程７）を実行する。
４）第１洗濯槽が次回の取水プログラムを実行するまでの時間をＴ２１、第２洗濯槽が排水プログラムを実行するまでの時間をＴ２２とする。Ｔ２２＜Ｔ２１の場合、工程５）を実行し、Ｔ２２≧Ｔ２１の場合、工程８）を実行する。
５）許容待ち時間Ｔ２を設定し、Ｔ２２＜Ｔ２の場合、工程６）を実行し、Ｔ２２≧Ｔ２の場合、工程８）を実行する。
６）第１洗濯槽は第２洗濯槽の排水を待ち、工程７）を実行する。
７）第２洗濯槽内の水を第１洗濯槽に排出する。
８）第１洗濯槽はきれいな水を直接取水し、第２洗濯槽の水は直接排出する。
【００７９】
前記第２洗濯槽の水が汚い場合、繰り返し利用することはできない。または第１洗濯槽が最後のすすぎの取水であっても、繰り返し利用することはできない。制御方法は以下の通りである。
１）第１洗濯槽が取水プログラムに達する。
２）第１洗濯槽が最後のすすぎの取水を残すのみであるかどうかを判断し、そうでない場合、工程３）を実行し、そうである場合、工程９）を実行する。
３）第２洗濯槽がこのとき排水プログラムを実行しているかどうかを判断し、排水プログラムを実行していない場合、工程４）を実行し、排水プログラムを実行している場合、工程７）を実行する。
４）第１洗濯槽が次回の取水プログラムを実行するまでの時間をＴ２１、第２洗濯槽が排水プログラムを実行するまでの時間をＴ２２とする。Ｔ２２＜Ｔ２１の場合、工程５）を実行し、Ｔ２２≧Ｔ２１の場合、工程９）を実行する。
５）許容待ち時間Ｔ２を設定し、Ｔ２２＜Ｔ２の場合、工程６）を実行し、Ｔ２２≧Ｔ２の場合、工程９）を実行する。
６）第１洗濯槽は第２洗濯槽の排水を待ち、工程７）を実行する。
７）第２洗濯槽内の水の濁度値または泡沫濃度値を測定し、濁度値または泡沫濃度値が設定値より小さいかどうかを判断する。
設定値より小さい場合、工程８）を実行し、そうでない場合、工程９）を実行する。
８）第２洗濯槽内の水を第１洗濯槽に排出する。
９）第１洗濯槽はきれいな水を直接取水し、第２洗濯槽の水は直接排出する。
【００８０】
第２洗濯槽の水を第１洗濯槽に排出するとき、第１洗濯槽が洗濯の取水である場合、洗剤ケースを洗い流す必要も、水位を測定する必要もある。制御方法は以下の通りである。
１）第１洗濯槽が取水プログラムに達する。
２）第１洗濯槽が最後のすすぎの取水を残すのみであるかどうかを判断し、そうでない場合、工程３）を実行し、そうである場合、工程１２）を実行する。
３）第２洗濯槽がこのとき排水プログラムを実行しているかどうかを判断し、排水プログラムを実行していない場合、工程４）を実行し、排水プログラムを実行している場合、工程７）を実行する。
４）第１洗濯槽が次回の取水プログラムを実行するまでの時間をＴ２１、第２洗濯槽が排水プログラムを実行するまでの時間をＴ２２とする。Ｔ２２＜Ｔ２１の場合、工程５）を実行し、Ｔ２２≧Ｔ２１の場合、工程１２）を実行する。
５）許容待ち時間Ｔ２を設定し、Ｔ２２＜Ｔ２の場合、工程６）を実行し、Ｔ２２≧Ｔ２の場合、工程１２）を実行する。
６）第１洗濯槽は第２洗濯槽の排水を待ち、工程７）を実行する。
７）第２洗濯槽内の水の濁度値または泡沫濃度値を測定し、濁度値または泡沫濃度値が設定値より小さいかどうかを判断する。
設定値より小さい場合、工程８）を実行し、そうでない場合、工程１２）を実行する。
８）第１洗濯槽が洗濯の取水プログラムを実行するかどうかを判断し、洗濯の取水プログラムを実行する場合、工程９）を実行し、そうでない場合、工程１０）を実行する。
９）第１洗濯槽は先に洗剤ケースを洗い流す取水を行い、第１洗濯槽の洗剤ケースを洗い流す取水が終了した後、工程１０）を実行する。
１０）第２洗濯槽内の水を第１洗濯槽に排出する。
１１）第１洗濯槽内の水位の高さを測定し、第１洗濯槽内の水位が設定水位値に達したとき、第２洗濯槽内にまだ水がある場合、残りの水は直接排出する。第２洗濯槽内の水を全て第１洗濯槽内に排出しても、第１洗濯槽内の水位が設定水位値に達しない場合、外部の取水口を介して第１洗濯槽に取水する。
１２）第１洗濯槽はきれいな水を直接取水し、第２洗濯槽の水は直接排出する。
【００８１】
本実施例における第１洗濯槽および第２洗濯槽は、説明を便利にするために付けた番号に過ぎない。順序関係を割り当てず、第１洗濯槽の水を再び利用することもできる。第２洗濯槽の取水口が第１洗濯槽の排水口とつながり、第１洗濯槽内の水を第２洗濯槽に排出して、繰り返し利用することができる。第１洗濯槽の排水口部分に止水バルブが設けられ、第１洗濯槽の水は止水バルブを経過して第２洗濯槽に進入することができる。第２洗濯槽に取水バルブが設けられ、外部のきれいな水は取水バルブを介して第２洗濯槽に進入することができる。１つの洗濯槽が取水に達し、もう１つの洗濯槽の水を該洗濯槽に排出して繰り返し利用するかどうかを判断するとき、もう１つの洗濯槽が取水に達しても、該洗濯槽の水をくり返し利用することは考慮せず、２つの槽がいずれも待つことにより、閉鎖ループとなるのを防止する。
【００８２】
制御方法は以下の通りである。
１）第２洗濯槽が取水プログラムに達する。
２）第１洗濯槽内の水を繰り返し利用するかどうかを判断し、繰り返し利用する場合、工程３）を実行し、そうでない場合、工程６）を実行する。
３）第２洗濯槽が次回の取水プログラムを実行するまでの時間をＴ２１、第１洗濯槽が排水プログラムを実行するまでの時間をＴ２２とする。Ｔ２２＜Ｔ２１の場合、工程４）を実行し、Ｔ２２≧Ｔ２１の場合、工程６）を実行する。
４）第２洗濯槽は第１洗濯槽の排水を待ち、工程５）を実行する。
５）第１洗濯槽内の水を第２洗濯槽に排出する。
６）第２洗濯槽はきれいな水を直接取水し、第１洗濯槽の水は直接排出する。
【００８３】
前記制御方法は、第１洗濯槽が排水プログラムに達する時間Ｔ２２と、第２洗濯槽が次回の取水プログラムに達する時間Ｔ２１とを比較する前に、第１洗濯槽が排水しているかどうかを判断する過程を追加することもできる。制御方法は以下の通りである。
１）第２洗濯槽が取水プログラムに達する。
２）第１洗濯槽内の水を繰り返し利用するかどうかを判断し、繰り返し利用する場合、工程３）を実行し、そうでない場合、工程７）を実行する。
３）第１洗濯槽がこのとき排水プログラムを実行しているかどうかを判断し、排水プログラムを実行していない場合、工程４）を実行し、排水プログラムを実行している場合、工程６）を実行する。
４）第２洗濯槽が次回の取水プログラムを実行するまでの時間をＴ２１、第１洗濯槽が排水プログラムを実行するまでの時間をＴ２２とする。Ｔ２２＜Ｔ２１の場合、工程５）を実行し、Ｔ２２≧Ｔ２１の場合、工程７）を実行する。
５）第２洗濯槽は第１洗濯槽の排水を待ち、工程６）を実行する。
６）第１洗濯槽内の水を第２洗濯槽に排出する。
７）第２洗濯槽はきれいな水を直接取水し、第１洗濯槽の水は直接排出する。
【００８４】
前記制御方法は、第２洗濯槽が第１洗濯槽の排水を待つ時間を充分に有するかどうかを判断することを含むこともできる。制御方法は以下の通りである。
１）第２洗濯槽が取水プログラムに達する。
２）第１洗濯槽内の水を繰り返し利用するかどうかを判断し、繰り返し利用する場合、工程３）を実行し、そうでない場合、工程８）を実行する。
３）第１洗濯槽がこのとき排水プログラムを実行しているかどうかを判断し、排水プログラムを実行していない場合、工程４）を実行し、排水プログラムを実行している場合、工程７）を実行する。
４）第２洗濯槽が次回の取水プログラムを実行するまでの時間をＴ２１、第１洗濯槽が排水プログラムを実行するまでの時間をＴ２２とする。Ｔ２２＜Ｔ２１の場合、工程５）を実行し、Ｔ２２≧Ｔ２１の場合、工程８）を実行する。
５）許容待ち時間Ｔ２を設定し、Ｔ２２＜Ｔ２の場合、工程６）を実行し、Ｔ２２≧Ｔ２の場合、工程８）を実行する。
６）第２洗濯槽は第１洗濯槽の排水を待ち、工程７）を実行する。
７）第１洗濯槽内の水を第２洗濯槽に排出する。
８）第２洗濯槽はきれいな水を直接取水し、第１洗濯槽の水は直接排出する。
【００８５】
前記第１洗濯槽の水が汚い場合、繰り返し利用することはできない。または第２洗濯槽が最後のすすぎの取水であっても、繰り返し利用することはできない。制御方法は以下の通りである。
１）第２洗濯槽が取水プログラムに達する。
２）第２洗濯槽が最後のすすぎの取水を残すのみであるかどうかを判断し、そうでない場合、工程３）を実行し、そうである場合、工程９）を実行する。
３）第１洗濯槽がこのとき排水プログラムを実行しているかどうかを判断し、排水プログラムを実行していない場合、工程４）を実行し、排水プログラムを実行している場合、工程７）を実行する。
４）第２洗濯槽が次回の取水プログラムを実行するまでの時間をＴ２１、第１洗濯槽が排水プログラムを実行するまでの時間をＴ２２とする。Ｔ２２＜Ｔ２１の場合、工程５）を実行し、Ｔ２２≧Ｔ２１の場合、工程９）を実行する。
５）許容待ち時間Ｔ２を設定し、Ｔ２２＜Ｔ２の場合、工程６）を実行し、Ｔ２２≧Ｔ２の場合、工程９）を実行する。
６）第２洗濯槽は第１洗濯槽の排水を待ち、工程７）を実行する。
７）第１洗濯槽内の水の濁度値または泡沫濃度値を測定し、濁度値または泡沫濃度値が設定値より小さいかどうかを判断する。
設定値より小さい場合、工程８）を実行し、そうでない場合、工程９）を実行する。
８）第１洗濯槽内の水を第２洗濯槽に排出する。
９）第２洗濯槽はきれいな水を直接取水し、第１洗濯槽の水は直接排出する。
【００８６】
第１洗濯槽の水を第２洗濯槽に排出するとき、第２洗濯槽が洗濯の取水である場合、洗剤ケースを洗い流す必要も、水位を測定する必要もある。制御方法は以下の通りである。
１）第２洗濯槽が取水プログラムに達する。
２）第２洗濯槽が最後のすすぎの取水を残すのみであるかどうかを判断し、そうでない場合、工程３）を実行し、そうである場合、工程１２）を実行する。
３）第１洗濯槽がこのとき排水プログラムを実行しているかどうかを判断し、排水プログラムを実行していない場合、工程４）を実行し、排水プログラムを実行している場合、工程７）を実行する。
４）第２洗濯槽が次回の取水プログラムを実行するまでの時間をＴ２１、第１洗濯槽が排水プログラムを実行するまでの時間をＴ２２とする。Ｔ２２＜Ｔ２１の場合、工程５）を実行し、Ｔ２２≧Ｔ２１の場合、工程１２）を実行する。
５）許容待ち時間Ｔ２を設定し、Ｔ２２＜Ｔ２の場合、工程６）を実行し、Ｔ２２≧Ｔ２の場合、工程１２）を実行する。
６）第２洗濯槽は第１洗濯槽の排水を待ち、工程７）を実行する。
７）第１洗濯槽内の水の濁度値または泡沫濃度値を測定し、濁度値または泡沫濃度値が設定値より小さいかどうかを判断する。
設定値より小さい場合、工程８）を実行し、そうでない場合、工程１２）を実行する。
８）第２洗濯槽が洗濯の取水プログラムを実行するかどうかを判断し、洗濯の取水プログラムを実行する場合、工程９）を実行し、そうでない場合、工程１０）を実行する。
９）第２洗濯槽は先に洗剤ケースを洗い流す取水を行い、第２洗濯槽の洗剤ケースを洗い流す取水が終了した後、工程１０）を実行する。
１０）第１洗濯槽内の水を第２洗濯槽に排出する。
１１）第２洗濯槽内の水位の高さを測定し、第２洗濯槽内の水位が設定水位値に達したとき、第１洗濯槽内にまだ水がある場合、残りの水は直接排出する。第１洗濯槽内の水を全て第２洗濯槽内に排出しても、第２洗濯槽内の水位が設定水位値に達しない場合、第２洗濯槽はきれいな水を取水する。
１２）第２洗濯槽はきれいな水を直接取水し、第１洗濯槽の水は直接排出する。
【００８７】
実施例３
図４に示すように、本実施例の前記複数槽洗濯機の排水制御方法において、第１洗濯槽が排水プログラムに達したとき、第２洗濯槽がこのとき脱水しているかどうかを判断する。脱水している場合、第１洗濯槽は第２洗濯槽の脱水の完了を待って排水する。前記第１洗濯槽内の水はカウンタウェイトの作用を示し、洗濯機の重量を増加させることができ、減震の効果を実現する。
【００８８】
第２洗濯槽がこのとき脱水していない場合、脱水の完了を待って排水するかどうかを判断する。第１洗濯槽が排水を完了したばかりで、第２洗濯槽がすぐに脱水を開始する状況において、第１洗濯槽の水が減震の効果を発揮できず、浪費となることを防止することができる。
【００８９】
脱水の完了を待って排水するかどうかを判断する過程について、第２洗濯槽の脱水までの時間をＴ３２、第２洗濯槽の脱水の所要時間をＴ３３とし、許容待ち時間Ｔ３を設定する。Ｔ３２＜Ｔ３−Ｔ３３の場合、許容待ち時間の範囲内にあると説明でき、第１洗濯槽は第２洗濯槽の脱水の完了を待って排水し、そうでなければ第１洗濯槽の水は直接排出する。
【００９０】
第１洗濯槽および第２洗濯槽の排水口は、管路を介して洗濯機の排水口と接続され、洗濯機全体に排水口を１つしか有さない。２つの洗濯槽が同時に排水すると、圧力差により洗濯水が逆流して、衣類が汚染される可能性があり、さらに１つの排水管を共用すると、同時に排水する速度は、それぞれ排水する速度と実質的に同じである。したがって、第１洗濯槽および第２洗濯槽は同時に排水することができず、第１洗濯槽が排水しようとするとき、第２洗濯槽がこのとき排水しているかどうかを判断する。第２洗濯槽がこのとき排水している場合、第１洗濯槽は第２洗濯槽の排水の終了を待って排水し、そうでなければ第１洗濯槽の水は直接排出する。
【００９１】
第１洗濯槽内の水を繰り返し利用するため、第１洗濯槽が排水プログラムに達したとき、第１洗濯槽の水を繰り返し利用することができるかどうかを判断する。繰り返し利用することができない場合、第１洗濯槽の水は直接排出し、繰り返し利用することができる場合、第２洗濯槽が取水しているかどうかを判断する。取水している場合、第１洗濯槽の水を第２洗濯槽に排出して、水を繰り返し利用し、そうでない場合、第１洗濯槽が第２洗濯槽の取水を待つかどうかを判断する。
【００９２】
第１洗濯槽が第２洗濯槽の取水を待つかどうかを判断する過程について、第２洗濯槽が取水プログラムに達する時間Ｔ１２と、第１洗濯槽が次回の排水プログラムに達する時間Ｔ１１とを比較する。Ｔ１２＜Ｔ１１の場合、第１洗濯槽は第２洗濯槽の取水を待ち、第１洗濯槽の水を第２洗濯槽に排出して、水を繰り返し利用し、Ｔ１２≧Ｔ１１の場合、第１洗濯槽の水は直接排出する。
【００９３】
上記判断過程により、待ち時間が比較的長くなる可能性があり、このとき許容待ち時間Ｔ１（Ｔ１＜Ｔ１１）を設定することができる。Ｔ１２＜Ｔ１の場合、許容待ち時間の範囲内にあると説明でき、第１洗濯槽は第２洗濯槽の取水を待ち、第１洗濯槽の水を第２洗濯槽に排出して、水を繰り返し利用する。Ｔ１２≧Ｔ１の場合、許容待ち時間の範囲内にないと説明でき、第１洗濯槽の水は直接排出する。
【００９４】
第１洗濯槽の水を繰り返し利用することができるかどうかを判断するとき、第１洗濯槽内の水の濁度値または泡沫濃度値を測定する。濁度値または泡沫濃度値が設定値より小さい場合、第１洗濯槽の水は繰り返し利用することができ、そうでなければ第１洗濯槽の水は繰り返し利用することができず、水は直接排出する。
【００９５】
第１洗濯槽が排水プログラムに達したとき、第２洗濯槽が実行している、または実行しようとしているのが最後のすすぎの取水であるかどうかを判断する。そうである場合、第１洗濯槽の水は直接排出し、そうでない場合、第１洗濯槽の水を繰り返し利用することができるかどうかを引き続き判断する。
【００９６】
第１洗濯槽および第２洗濯槽は、説明を便利にするために付けた番号に過ぎず、順序関係を割り当てない。第２洗濯槽の排水時、第１洗濯槽がこのとき脱水しているかどうかを判断することもでき、脱水している場合、第２洗濯槽は第１洗濯槽の脱水の完了を待って排水する。前記第２洗濯槽内の水はカウンタウェイトの作用を示し、洗濯機の重量を増加させることができ、減震の効果を実現する。
【００９７】
第１洗濯槽がこのとき脱水していない場合、脱水の完了を待って排水するかどうかを判断する。第２洗濯槽が排水を完了したばかりで、第１洗濯槽がすぐに脱水を開始する状況において、第２洗濯槽の水が減震の効果を発揮できず、浪費となるのを防止することができる。
【００９８】
図４に示すように、本実施例の前記制御方法は以下の通りである。
１）第１洗濯槽が排水プログラムに達する。
２）第２洗濯槽が動作中かどうかを判断し、動作中の場合、工程３）を実行し、そうでない場合、工程８）を実行する。
３）第２洗濯槽が排水しているかどうかを判断し、排水していない場合、工程４）を実行し、排水している場合、工程７）を実行する。
４）第２洗濯槽が脱水しているかどうかを判断し、脱水していない場合、工程５）を実行し、脱水している場合、工程６）を実行する。
５）第２洗濯槽の脱水までの時間をＴ３２、第２洗濯槽の脱水の所要時間をＴ３３とし、許容待ち時間Ｔ３を設定する。Ｔ３２＜Ｔ３−Ｔ３３の場合、工程６）を実行し、そうでなければ工程８）を実行する。
６）第１洗濯槽は第２洗濯槽の脱水の終了を待ち、工程８）に進む。
７）第１洗濯槽は第２洗濯槽の排水の終了を待ち、工程８）に進む。
８）第１洗濯槽は排水する。
【００９９】
以上の記載は本発明の好ましい実施方式に過ぎない。当業者は、本発明の原理を逸脱しない前提で、数種の変形および改良を行うこともできるが、これも本発明の保護範囲と見なすべきであると指摘しなければならない。
【符号の説明】
【０１００】
１  第１洗濯槽
２  第２洗濯槽
【図１】
0006458968.tif 000002
【図２】
0006458968.tif 000003
【図３】
0006458968.tif 000004
【図４】
0006458968.tif 000005